(57)【要約】【課題】従来の話題提供システムでは、サーバがユーザの意図に反して情報を公開または漏洩する危険性があり、登録データを非公開にした上で登録した情報を活用することができない。また、カスタマイズされた話題提供ができない。【解決手段】ユーザは個人情報にサーバヘの提供段階分けをした管理を実施することで、サーバヘ提供する個人情報自体を制限することから、サーバがユーザの意図に反して情報を公開または漏洩することはできない。またサーバは当該設定値と公に入手可能な情報から作成した当該設定値を直接使用しない表現の文章によって対話参加者への話題提供を実施する。また、話題作成のたびにユーザの個人情報端末から個人情報の提供を受け、その個人情報に基づいて提供する話題を作成することから、予め準備されている情報を提供される場合よりも対話参加者にカスタマイズされた話題の提供が実現する。【選択図】　　　　図１
2004078390.tif 000002
【特許請求の範囲】
【請求項１】
個別の情報処理装置内に保持している情報を情報処理サーバヘの送信可能条件を段階的に区分して管理する情報処理装置側情報管理ＤＢと、情報処理装置間及び情報処理サーバとの間で情報の送受信を可能とする情報処理装置側通信処理部と、操作者が情報処理装置を操作可能とする操作部と、情報処理装置が情報処理サーバから受信した情報を表示する表示部と、応答を必要とする情報処理サーバからの情報の受信に対して情報処理装置が自動応答する自動応答部の全てまたは一部を実装する情報処理装置と、
情報処理装置との間で情報の送受信を可能とするサーバ側通信処理部と、情報処理装置へ送信する情報を作成する過程で使用する公に入手可能な情報を蓄積するサーバ側情報管理ＤＢと、情報処理装置から提供された情報を解析し当該解析結果と一つまたは複数保持している情報フレームとサーバ側情報管理ＤＢが管理している公に入手可能な情報を用いて情報処理装置へ送信する情報を作成する情報解析作成部と、情報解析作成部で情報処理装置向けに作成された情報の宛先設定を管理する送信先管理ＤＢを実装する情報処理サーバから構成されるシステムにおいて、
情報処理装置は情報処理装置間で情報処理サーバによる個別の情報処理装置が提供する情報の解析及び作成処理起動に合意する信号を送受信することを契機に、当該契機において情報処理サーバに送信可能と区分された個別の情報処理装置内に保持している情報を情報処理サーバに送信する情報処理方式。
【請求項２】
請求項１の情報処理方式において、
情報処理サーバは２台の情報処理装置から受信した情報について情報処理サーバが定める範囲の設定内容を比較することにより共通する設定値を検出し、情報処理サーバがサーバ側情報管理ＤＢ内に管理する公に入手可能な情報から、上記の共通する設定値が構成要素となっている情報を抽出する情報処理方式。
【請求項３】
請求項２の情報処理方式において、
情報処理サーバは任意の共通する設定値に基づいて情報処理サーバがサーバ側情報管理ＤＢ内に管理する公に入手可能な情報から抽出された情報の数が予め情報処理サーバに設定された情報の数より多かった場合は、情報処理サーバが管理する公に入手可能な情報から情報を抽出するのに用いた以外の共通する設定値を用いて絞り込みを実施する情報処理方式。
【請求項４】
請求項２または３の情報処理方式において、
２台の情報処理装置から受信した情報から共通する設定値を検出されなかった場合は、情報処理サーバは２台の情報処理装置の両方または一方に対して自装置内で管理している情報の追加提供を依頼し、その依頼に応じて情報処理装置から提供された追加の情報を用いて情報処理サーバがサーバ側情報管理ＤＢ内に管理する公に入手可能な情報から抽出された情報の絞り込みを実施する情報処理方式。
【請求項５】
請求項４の情報処理方式において、
情報処理サーバが情報処理装置に情報の追加提供を依頼する場合は、情報の設定値そのものではなく、情報処理装置または情報処理装置の操作者がＹＥＳまたはＮＯまたは回答設定無しのいずれかで応答可能な応答を依頼する情報を送信して当該情報処理装置の管理する情報の追加提供を依頼し、その依頼に応じて提供された追加の情報を用いて情報処理サーバがサーバ側情報管理ＤＢ内に管理する公に入手可能な情報から抽出された情報の絞り込みを実施する情報処理方式。
【請求項６】
請求項４の情報処理方式において、
情報処理サーバが情報処理装置に情報の追加提供を依頼する場合は、情報処理サーバは追加提供依頼先の情報処理装置が追加提供受諾する交換条件として、もう一方の情報処理装置から送信された情報の一部公開を実施可能な旨を通知し、追加提供依頼先の情報処理装置から情報の追加提供を受けた場合は公開が可能な旨を通知した情報の公開を実施し、それによって提供された追加情報を用いて情報処理サーバがサーバ側情報管理ＤＢ内に管理する公に入手可能な情報から抽出された情報の絞り込みを実施する情報処理方式。
【請求項７】
請求項４ないし６のうちいずれか１項の情報処理方式において、
情報の追加提供を依頼された情報処理装置は、当該情報処理装置が情報処理サーバヘの送信可能条件を段階的に区分に従って自動的に応答する自動応答と当該情報処理装置の操作者による手動応答を選択可能とし、情報処理サーバはそれによって提供された追加の情報を用いて情報処理サーバがサーバ側情報管理ＤＢ内に管理する公に入手可能な情報から抽出された情報の絞込みを実施する情報処理方式。
【請求項８】
請求項１ないし７のうちいずれか１項の情報処理方式において、
情報処理サーバは情報処理サーバがサーバ側情報管理ＤＢ内に管理する公に入手可能なデータから抽出された情報処理装置へ通知する対象となった情報と自らが管理する情報フレームを用いて個別の情報処理装置またはその操作者へ送信する情報を作成して、予め情報処理サーバに設定された送信先の条件に従って２台の情報処理装置の一方または両方に送信する情報処理方式。
【請求項９】
請求項１ないし８のうちいずれか１項の情報処理方式において、
情報処理サーバは、個別の情報処理装置へ情報処理サーバによる解析及び加工済みの情報を送信した後は、当該処理にて用いた情報及び作成した情報を破棄する情報処理方式。
【発明の詳細な説明】
【０００１】
【発明の属する技術分野】
本発明は、一般への公開を望まない個別の情報処理装置が管理する情報をネットワーク側の情報処理サーバが一時的に情報処理装置から取得し、公に入手できる情報も用いて情報保護に配慮をした方法で解析及び加工をした後、その結果作成された情報を情報処理装置に送信する情報処理方式に関するものである。
【０００２】
【従来の技術】
話題提供システムを例に取った場合、情報保護はプライバシー保護を配慮した個人情報活用方法の観点に、また取得情報の活用は話題の自動提供の観点に対応する。
【０００３】
プライバシー保護を配慮した個人情報活用方法の観点からでは、公知された情報として「プライバシーを重視したアクセス制御機構の提案」（情報処理学会論文誌，Ｖｏｌ　４２，　Ｎｏ．８，　ｐｐ．２０６７（２００１））に発表されているように、個人情報へのアクセス権の管理の方法に着目した方式が考えられてきた。
【０００４】
また、話題の自動提供の観点では、「仮想空間内でのコミュニケーションを補助する社会的エージェントの設計」（情報処理学会論文誌，Ｖｏｌ　４２，　Ｎｏ．６，　ｐｐ．１３６８−１３６９（２００１））に発表されているように、一般的評価に基づく適切な話題を予め準備された話題を提供する方式が考えられてきた。
【０００５】
【発明が解決しようとする課題】
話題提供システムを例に取った場合、プライバシー保護を配慮した個人情報活用方法の観点から、「プライバシーを重視したアクセス制御機構の提案」ではユーザが公開したくない情報もサーバに対しては公開することから、ユーザにとっては個人情報の管理をサーバに委託することになり、サーバがユーザの意図に反して情報を公開または漏洩する危険性を回避することは出来ない。またアクセス権を付与された端末からは登録された情報がそのまま参照可能となるため、完全に登録データを非公開にした上で登録した情報を活用することはできない。
【０００６】
また、話題の自動提供の観点からは、「仮想空間内でのコミュニケーションを補助する社会的エージェントの設計」では、一般的評価に基づく適切な話題を予め準備しており、実際の対話参加者個々に対応した話題を生成していないため、その対話参加にカスタマイズされた話題の提供ができない。
【０００７】
【課題を解決するための手段】
話題提供システムを例に取った場合、プライバシー保護を配慮した個人情報活用方法の観点から、本発明ではユーザは個人情報にサーバヘの提供段階分けをした管理を実施することで、サーバヘ提供する個人情報自体を制限することから、サーバがユーザの意図に反して情報を公開または漏洩することはできない。またサーバが提供された情報を活用するにあたっても、登録した設定値そのままを公開することはない。サーバは当該設定値と公に入手可能な情報から作成した当該設定値を直接使用しない表現の文章によって対話参加者への話題提供を実施する。
【０００８】
また、話題の自動提供の観点からは、話題作成のたびにユーザの個人情報端末から個人情報の提供を受け、その個人情報に基づいて提供する話題を作成することから、予め準備されている情報を提供される場合よりも対話参加者にカスタマイズされた話題の提供が実現する。
【０００９】
【発明の実施の形態】
図１に本発明の話題提供サービス適用時を例としたシステム構成を示す。ここで情報処理装置間の情報の送受信及び情報処理装置と話題提供サーバとの間の情報の送受信では有線区間と無線区間の一方または両方が介される。また使用されるプロトコルも必ずしも１種類とは限らない。
【００１０】
また、話題提供サービス適用時では、情報処理装置は携帯電話端末、ＰＤＡ端末、通常のＰＣ端末等を想定している。また、情報処理サーバが最終的に作成して情報処理装置に送信する情報は話題提供文章に、情報処理装置が情報処理装置側情報管理ＤＢ内に管理する情報は操作者の個人情報が対応する。
【００１１】
「実施形態１」
図２の左上に実施形態１の動作手順を示す。
起動側情報処理装置２の操作者は、話題提供を受けたい場合には、被起動側情報処理装置３へ向けて操作部２１で起動操作を実施する（Ａ１）。起動操作がなされると操作部２１は情報処理装置側通信処理部２２ヘサービス起動信号（ａ１）を送信する。情報処理装置側通信処理部２２はサービス起動信号（ａ１）を受信すると情報処理装置側通信処理部３２へ向けて、起動側情報処理装置２の情報処理装置ｉｄを設定したサービス起動通知（ａ２）を送信する。情報処理装置側通信処理部３２はサービス起動通知（ａ２）を受信すると情報処理装置側通信処理部２２へ起動側情報処理装置２の情報処理装置ｉｄと被起動側情報処理装置３の情報処理装置ｉｄを設定したサービス起動応答通知（ａ３）を返信するとともに、情報処理装置側情報管理ＤＢ３３へ個人情報要求（ａ７）を送信する。情報処理装置側通信処理部２２はサービス起動応答通知（ａ３）を受信すると情報処理装置側情報管理ＤＢ２３へ個人情報要求（ａ４）を送信する。情報処理装置側情報管理ＤＢ２３は個人情報要求（ａ４）を受信すると、管理している個人情報項目の内、サービス起動時に提供可能と設定してある個人情報を個人情報応答（ａ５）に設定して情報処理装置側通信処理部２２へ返信する。ここで個人情報とは個人情報項目とその設定内容の設定値及び公開条件の設定レベルを示す。例えば情報処理装置側情報管理ＤＢ２３が管理する個人情報は、図１の例では、個人情報項目「名前」、その設定内容の設定値「○山△夫」、公開条件の設定レベル「レベル１」、・・・・・である。ここで、「レベル１」は図１の右下に示すように「情報の解析及び作成処理起動時提供可且つ交換条件として利用不可」を意味する。情報処理装置側通信処理部２２は、起動側情報処理装置２の情報処理装置ｉｄと被起動側情報処理装置３の情報処理装置ｉｄと起動側情報処理装置２の個人情報を設定した個人情報通知（ａ６）を情報処理サーバ１のサーバ側通信処理部１１へ向けて送信する。また情報処理装置側情報管理ＤＢ３３は個人情報要求（ａ７）を受信すると、管理している個人情報項目の内、サービス起動時に提供可能と設定してある個人情報を個人情報応答（ａ８）に設定して情報処理装置側通信処理部３２へ返信する。情報処理装置側通信処理部３２は、起動側情報処理装置２の情報処理装置ｉｄと被起動側情報処理装置３の情報処理装置ｉｄと被起動側情報処理装置３の個人情報を設定した個人情報通知（ａ９）を情報処理サーバ１のサーバ側通信処理部１１へ向けて送信する。
【００１２】
「実施形態２」
図２の右上に実施形態２の動作手順を示す。
サーバ側通信処理部１１は情報処理装置側通信処理部２２から個人情報通知（ａ６）を受信すると、個人情報通知（ａ６）に設定された起動側情報処理装置２の情報処理装置ｉｄと被起動側情報処理装置３の情報処理装置ｉｄと起動側情報処理装置２の個人情報を話題提供文章作成要求（ｂ１）に設定して情報解析作成部１２へ送信する。また、サーバ側通信処理部１１は情報処理装置側通信処理部３２から個人情報通知（ａ９）を受信すると、個人情報通知（ａ９）に設定された起動側情報処理装置２の情報処理装置ｉｄと被起動側情報処理装置３の情報処理装置ｉｄと起動側情報処理装置３の個人情報を話題提供文章作成要求（ｂ２）に設定して情報解析作成部１２へ送信する。情報解析作成部１２は対となる個人情報について個人情報項目毎に設定値を比較し、両者に共通な設定値である共通設定値を抽出する（Ｂ１）。
【００１３】
その際、予め情報解析作成部１２へなされている設定により比較対象の個人情報項目に制限がなされる場合もある。なお、この共通設定値の抽出イメージを図７に示す。図７に示す例では、共通設定値として、（職業）弁護士、（趣味）海外旅行、が抽出される。共通設定値が抽出されると情報解析作成部１２はその共通設定値を関連情報要求（ｂ３）に設定してサーバ側情報管理ＤＢ１３へ送信する。この際、抽出された共通設定値が関連情報要求（ｂ３）にサービス起動時に設定可能な共通設定値数より多かった場合は、ランダムに選択または予め情報解析作成部１２に設定された個人情報項目の優先順位に従って設定する共通設定値が選択される。サーバ側情報管理ＤＢ１３は関連情報要求（ｂ３）を受信すると、サーバ側情報管理ＤＢ１３にデータの記載内容の分野別に管理された各データ集に対してそこに設定された共通設定値を含む情報があるか否かを検索する（Ｂ２）。この検索イメージを図８に示す。図８に示す例では、情報解析作成部１２は共通な設定値「海外旅行」を抽出し、サーバ側情報管理ＤＢ１３は「海外旅行」を含む情報を検索し、観光分野のデータ集で「アテネで○○神殿公開・・・毎年多くの海外旅行者が訪れる・・・」、「ライン川沿いの古城の旅が人気・・・海外旅行の人気スポットである、ライン川の・・・」という情報がヒットし、ファッション分野のデータ集で「来月○○コレクションパリで開催・・・会場には海外旅行客も多く・・・」、「デザイナー△△氏ローマで新作発表・・・そのニュースは海外旅行客にも伝わり・・・」という情報がヒットしている。サーバ側情報管理ＤＢ１３は、関連情報を関連情報応答（ｂ４）に設定して情報解析作成部１２へ送信する。ここで関連情報とは共通設定値によるデータ集の検索の結果抽出された情報である。
【００１４】
「実施形態３」
図２の右下に実施形態３の動作手順を示す。
情報処理サーバ１から取得した関連情報数が情報解析作成部１２に予め設定された関連情報数より多かった場合は、情報解析作成部１２は実施形態２で送信した共通設定値、及び実施形態２で送信した共通設定値とは異なる新たな共通設定値を設定した関連情報要求（ｃ１）をサーバ側情報管理ＤＢ１３に送信する。サーバ側情報管理ＤＢ１３は関連情報要求（ｃ１）を受信すると実施形態２で送信した共通設定値、及び新たな共通設定値を用いてサーバ側情報管理ＤＢ１３内の各データ集をＡＮＤ条件で検索する（Ｃ１）。その検索結果として抽出された関連情報を関連情報応答（ｃ２）に設定して情報解析作成部１２へ送信する。絞込みは検出される関連情報数が予め設定された関連情報数以内になるまで繰り返すことが可能である。
【００１５】
「実施形態４」
図３に実施形態４の動作手順を示す。
共通設定値または新たな共通設定値抽出処理の結果、サーバ側情報管理ＤＢ１３に対し送信する共通設定値または新たな共通設定値が存在しない場合（Ｄ１）は、起動側情報処理装置２と被起動側情報処理装置３の個人情報を比較した際、共通する設定値が存在せず片方のみ設定がある個人情報項目を抽出するとともに、その個人情報項目についての追加情報提供依頼先として設定値が記載されていない側の情報処理装置を特定する（Ｄ２）。そして情報解析作成部１２は追加提供を依頼する対象の個人情報項目と情報解析作成部１２が保持している会話テンプレートを用いて、追加提供を求める個人情報項目を明記する追加情報提供依頼文章を作成する（Ｄ３）。会話テンプレートが複数ある場合は、文脈を判断する処理により最適な会話テンプレートを選択する手段を用いても良いが、その方法は必ずしも左記の限りではない。この際、抽出された片方のみ設定値が設定されている個人情報項目数が予め情報解析作成部１２が許容している数より多かった場合は、ランダムに選択または予め情報解析作成部１２に設定された個人情報項目の優先順位に従って対応する個人情報項目が選択される。また、追加情報提供依頼先として予め起動側情報処理装置２と被起動側情報処理装置３の何れか一方を限定した上で、追加情報提供依頼を実施する個人情報項目を確定することも予め情報解析作成部１２へ設定可能とする。
【００１６】
被起動側情報処理装置３が追加情報提供の依頼先の場合は、情報解析作成部１２は追加情報提供依頼文章及びその依頼先として被起動側情報処理装置３を設定した追加情報要求（ｄ１）をサーバ側通信処理部１１へ送信する。サーバ側通信処理部１１は被起動側情報処理装置３から追加情報要求（ｄ１）を受信すると追加情報提供依頼文章を設定した追加情報提供依頼（ｄ２）を被起動側情報処理装置３へ送信する。サーバ側通信処理部１１は被起動側情報処理装置３から追加情報提供応答（ｄ３）を受信すると、追加情報とともに情報解析作成部１２へ追加情報通知（ｄ４）を送信する。情報解析作成部１２は追加情報通知（ｄ４）を受信すると、回答である設定値が記載されていることを確認して、その追加の設定値を追加設定値として実施形態２で送信した共通な設定値とともに関連情報要求（ｄ５）に設定してサーバ側情報管理部ＤＢ１３へ送信する。サーバ側情報管理ＤＢ１３は、実施形態２で送信した共通な設定値と追加設定値を用いて関連情報検索を実施し（Ｄ４）、その結果として得られた関連情報を関連情報応答（ｄ６）に設定して情報解析作成部１２へ送信する。
【００１７】
起動側情報処理装置２が追加情報提供の依頼先の場合は、情報解析作成部１２は追加情報提供依頼文章及びその依頼先として起動側情報処理装置２を設定した追加情報要求（ｄ７）をサーバ側通信処理部１１へ送信する。サーバ側通信処理部１１は追加情報要求（ｄ７）を受信すると追加情報提供依頼文章を設定した追加情報提供依頼（ｄ８）を起動側情報処理装置２へ送信する。サーバ側通信処理部１１は起動側情報処理装置２から追加情報提供応答（ｄ９）を受信すると、追加情報とともに情報解析作成部１２へ追加情報通知（ｄ１０）を送信する。情報解析作成部１２は追加情報通知（ｄ１０）を受信すると、回答である設定値が記載されていることを確認して、その追加の設定値を追加設定値として実施形態２で送信した共通な設定値とともに関連情報要求（ｄ１１）に設定してサーバ側情報管理部ＤＢ１３へ送信する。サーバ側情報管理部ＤＢ１３は、実施形態２で送信した共通な設定値と追加設定値を用いて関連情報検索を実施し（Ｄ５）、その結果として得られた関連情報を関連情報応答（ｄ１２）に設定して情報解析作成部１２へ送信する。
【００１８】
「実施形態５」
図３に実施形態５の動作手順を示す。
実施形態４において、情報解析作成部１２は追加提供を依頼する対象の個人情報項目と情報解析作成部１２が保持している会話テンプレートを用いて、追加提供を依頼する個人情報項目を明記せず、宛先の情報処理装置がＹＥＳまたはＮＯまたは回答設定値の設定無しで回答できる形式の追加情報提供依頼文章を作成する（Ｅ１）。会話テンプレートが複数ある場合は、文脈を判断する処理により最適な会話テンプレートを選択する手段を用いても良いが、その方法は必ずしも左記の限りではない。この際、抽出された片方のみ設定値が設定されている個人情報項目数が予め情報解析作成部１２が許容している数より多かった場合は、ランダムに選択または予め情報解析作成部１２に設定された個人情報項目の優先順位に従って対応する個人情報項目が選択される。また、追加情報提供依頼先として予め起動側情報処理装置２と被起動側情報処理装置３の何れか一方を限定した上で、追加情報提供依頼を実施する個人情報項目を確定することも予め情報解析作成部１２へ設定可能とする。
【００１９】
「実施形態６」
図４に実施形態６の動作手順を示す。
実施形態４において起動側情報処理装置２と被起動側情報処理装置３の一方または両方に追加情報提供依頼を送信する個人情報項目と宛先が確定した場合（Ｆ１）、情報解析作成部１２は話題提供文章送信先でない側の情報処理装置の個人情報から各個人情報項目の公開条件の設定レベルを参照して話題提供文章送信先情報処理装置に追加個人情報の提供と交換で公開する個人情報項目と設定値を確定する（Ｆ２）。
【００２０】
情報解析作成部１２は対象の個人情報項目と情報解析作成部１２が保持している会話テンプレートを用いて、追加情報の提供と交換に依頼先でない側の情報処理装置の個人情報を一部公開する旨を記した追加情報提供依頼文章を作成する（Ｆ３）。会話テンプレートが複数ある場合は、文脈を判断する処理により最適な会話テンプレートを選択する手段を用いても良いが、その方法は必ずしも左記の限りではない。
【００２１】
被起動側情報処理装置３が追加情報提供の宛先の場合は、情報解析作成部１２は追加情報提供依頼文章及びその宛先として被起動側情報処理装置３を設定した追加情報要求（ｆ１）をサーバ側通信処理部１１へ送信する。サーバ側通信処理部１１は追加情報要求（ｆ１）を受信すると追加情報提供依頼文章を設定した追加情報提供依頼（ｆ２）を被起動側情報処理部３へ送信する。サーバ側通信処理部１１は被起動側情報処理装置３から追加情報提供応答（ｆ３）を受信すると追加情報通知（ｆ４）を情報解析作成部１２へ送信する。情報解析作成部１２は追加情報に設定されている設定値を確認する（Ｆ４）と、交換に提供することに確定していた交換提供個人情報を起動側情報処理装置２の個人情報を交換提供個人情報送信依頼（ｆ５）に設定してサーバ側通信処理部１１へ送信する。サーバ側通信処理部１１は交換提供個人情報を交換提供個人情報通知（ｆ６）に設定して被起動側情報処理装置３へ送信する。
【００２２】
起動側情報処理装置２が追加情報提供の宛先の場合は、情報解析作成部１２は追加情報提供依頼文章及びその宛先として起動側情報処理装置２を設定した追加情報要求（ｆ７）をサーバ側通信処理部１１へ送信する。サーバ側通信処理部１１は追加情報要求（ｆ７）を受信すると追加情報提供依頼文章を設定した追加情報提供依頼（ｆ８）を被動側情報処理装置２へ送信する。サーバ側通信処理部１１は起動側情報処理装置２から追加情報提供応答（ｆ９）を受信すると追加情報通知（ｆ１０）を情報解析作成部１２へ送信する。情報解析作成部１２は追加情報に設定されている設定値を確認する（Ｆ５）と、交換に提供することに確定していた交換提供個人情報を被起動側情報処理装置３の個人情報を交換提供個人情報送信依頼（ｆ１１）に設定してサーバ側通信処理部１１へ送信する。サーバ側通信処理部１１は交換提供個人情報を交換提供個人情報通知（ｆ１２）に設定して起動側情報処理装置２へ送信する。
【００２３】
「実施形態７」
図５に実施形態７の動作手順を示す。
実施形態４〜６において、被起動側情報処理装置３が情報処理サーバ１から追加情報提供依頼（ｄ２，ｆ２）を受信した場合、且つ被起動側情報処理装置３が自動応答に設定されていた場合、情報処理装置側通信処理部３２は追加情報提供依頼文章を設定した追加情報要求（ｇ１）を自動応答部３５へ送信する。自動応答部３５は情報処理装置側情報管理ＤＢ３３を参照し（Ｇ１）、受信した追加情報提供依頼文章に対応した応答内容を確定する（Ｇ２）。そして確定した応答内容を追加情報応答（ｇ２）に設定して情報処理装置側通信処理部３２へ送信する。情報処理装置側通信処理部３２は追加情報応答（ｇ２）を受信すると追加情報提供応答（ｄ３，ｆ３）に応答内容を追加情報として設定して情報処理サーバ１へ送信する。
【００２４】
被起動側情報処理装置３が情報処理サーバ１から追加情報提供依頼（ｄ２，ｆ２）を受信した場合、且つ被起動側情報処理装置３が操作者による応答に設定されていた場合、情報処理装置側通信処理部３２は追加情報提供依頼文章を設定した追加情報要求表示指示（ｇ３）を表示部３４へ送信する。表示部３４は追加情報要求表示指示（ｇ３）を受信すると追加情報提供依頼文章を表示する（Ｇ３）。操作者は操作部３１で応答操作を実施する（Ｇ４）ことにより追加情報応答（ｇ４）を情報処理装置側通信処理部３２へ返信する。情報処理装置側通信処理部３２は追加情報応答（ｇ４）を受信すると追加情報提供応答（ｄ３，ｆ３）に応答文章を設定して情報処理サーバ１へ送信する。
【００２５】
起動側情報処理装置２が情報処理サーバ１から追加情報提供依頼（ｄ８，ｆ８）を受信した場合、且つ起動側処理装置２が自動応答に設定されていた場合、情報処理装置側通信処理部２２は追加情報提供依頼文章を設定した追加情報要求（ｇ５）を自動応答部２５へ送信する。自動応答部２５は情報処理装置側情報管理ＤＢ２３を参照し（Ｇ５）、受信した追加情報提供依頼文章に対応した応答内容を確定する（Ｇ６）。そして確定した応答内容を追加情報応答（ｇ６）に設定して情報処理装置側通信処理部２２へ送信する。情報処理装置側通信処理部２２は追加情報応答（ｇ６）を受信すると追加情報提供応答（ｄ９，ｆ９）に応答内容を追加情報として設定して情報処理サーバ１へ送信する。
【００２６】
起動側情報処理装置２が情報処理サーバ１から追加情報提供依頼（ｄ８，ｆ８）を受信した場合、且つ起動側情報処理装置２が操作者による応答に設定されていた場合、情報処理装置側通信処理部２２は追加情報提供依頼文章を設定した追加情報要求表示指示（ｇ７）を表示部２４へ送信する。表示部２４は追加情報要求表示指示（ｇ７）を受信すると追加情報提供依頼文章を表示する（Ｇ７）。操作者は操作部２１で応答操作を実施する（Ｇ８）ことにより追加情報応答（ｇ８）を情報処理装置側通信処理部２２へ返信する。情報処理装置側通信処理部２２は追加情報応答（ｇ８）を受信すると追加情報提供応答（ｄ９，ｆ９）に応答文章を設定して情報処理サーバ１へ送信する。
【００２７】
「実施形態８」
図６に実施形態８の動作手順を示す。
情報解析作成部１２はサーバ側情報管理ＤＢ１３から取得した関連情報と情報解析作成部１２が保持している会話テンプレートを用いて話題提供文章を作成する（Ｈ１）。会話テンプレートが複数ある場合は、文脈を判断する処理により最適な会話テンプレートを選択する手段を用いても良いが、その方法は必ずしも左記の限りではない。話題提供文章の作成イメージを図９に示す。図９に示す例では、情報解析作成部１２は、サーバ側情報管理ＤＢ１３が検索した結果と会話テンプレート例を用いて、「「ライン川沿いの古城の旅が人気」についてお話してはいかがですか？・・・・・」という話題提供文章を作成する。話題提供文章を作成した後、情報解析作成部１２は話題提供文章作成応答（ｈ１）に作成した話題提供文章を設定してサーバ側通信処理部１１に送信する。サーバ側通信処理部１１は送信先管理ＤＢ１４に宛先確認要求（ｈ２）を送信して、情報処理装置２と情報処理装置３の宛先の設定を確認する（Ｈ２）。この確認では起動側情報通信端末と被起動側情報通信端末の両方に対して話題提供文章を送信するか、それともどちらか一方のみに話題提供文章を送信するかを調べる。送信先管理ＤＢ１４の設定を実施するにあたって起動側情報通信端末への送信可否が両方の情報処理装置の許容条件設定のＡＮＤ条件で決まるかＯＲ条件で決まるかまたは左記以外の方法で決まるか、また、被起動側情報通信端末への送信可否が両方の情報処理装置の許容条件設定のＡＮＤ条件で決まるかＯＲ条件で決まるかまたは左記以外の方法で決まるかについては話題提供サーバ管理者の運用方法による。送信先管理ＤＢ１４は送信先を確認した後、その結果を宛先確認応答（ｈ３）に設定してサーバ側通信処理部１１へ送信する。サーバ側通信処理部１１は宛先確認応答（ｈ３）に設定された確認結果に従って話題提供文章を話題提供文章通知（ｈ４，ｈ６）に設定して情報処理装置へ送信する。被起動側情報処理装置３が送信先である場合、サーバ側通信処理部１１は話題提供文章を話題提供文章通知（ｈ４）に設定して情報処理装置側通信処理部３２へ送信する。情報処理装置側通信処理部３２は話題提供文章通知（ｈ４）を受信すると、設定されている話題提供文章を話題提供文章表示指示（ｈ５）に設定して表示部３４へ送信する。表示部３４は話題提供文章表示指示（ｈ５）を受信すると、設定されている話題提供文章を端末の画面等の表示部に表示する（Ｈ３）。また、起動側情報処理装置２が送信先である場合、サーバ側通信処理部１１は話題提供文章を話題提供文章通知（ｈ６）に設定して情報処理装置側通信処理部２２へ送信する。情報処理装置側通信処理部２２は話題提供文章通知（ｈ６）を受信すると、設定されている話題提供文章を話題提供文章表示指示（ｈ７）に設定して表示部２４へ送信する。表示部２４は話題提供文章表示指示（ｈ７）を受信すると、設定されている話題提供文章を端末の画面等の表示部に表示する（Ｈ４）。
【００２８】
「実施形態９」
図６の右下に実施形態９の動作手順を示す。
話題提供文章送信先の情報処理装置への話題提供文章送信完了後、情報解析作成部１２は当該処理で取得した情報及び作成した文章を破棄する（Ｇ１）。
【００２９】
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００３０】
【発明の効果】
本発明によって情報漏洩や転用などからの取得情報保護が保障された取得情報の活用が可能となる。そのため、携帯電話、ＰＤＡ、個人のＰＣ端末等で管理している操作者個人に関する情報の活用がビジネスと日常生活の両面で広く利用され、コミュニティ内の対話やビジネスにおける交渉が円滑に実施される。
【図面の簡単な説明】
【図１】本発明のシステム構成を示す図である。
【図２】実施形態１，２，３の動作手順を示す図である。
【図３】実施形態４，５の動作手順を示す図である。
【図４】実施形態６の動作手順を示す図である。
【図５】実施形態７の動作手順を示す図である。
【図６】実施形態８，９の動作手順を示す図である。
【図７】情報処理サーバ１での共通設定値抽出イメージを示す図である。
【図８】情報処理サーバ１での関連情報検索イメージを示す図である。
【図９】情報処理サーバ１での話題提供文章作成イメージを示す図である。
【符号の説明】
１…情報処理サーバ、２…起動側情報処理装置、３…被起動側情報処理装置、１１…サーバ側通信処理部、１２…情報解析作成部、１３…サーバ側情報管理ＤＢ、１４…送信先管理ＤＢ、２１，３１…操作部、２２，３２…情報処理装置側通信処理部、２３，３３…情報処理装置側情報管理ＤＢ、２４，３４…表示部、２５，３５…自動応答部。
【図１】
2004078390.tif 000003
【図２】
2004078390.tif 000004
【図３】
2004078390.tif 000005
【図４】
2004078390.tif 000006
【図５】
2004078390.tif 000007
【図６】
2004078390.tif 000008
【図７】
2004078390.tif 000009
【図８】
2004078390.tif 000010
【図９】
2004078390.tif 000011